(57)【要約】【課題】空間の空気清浄機能を向上させた空気清浄機能付き照明装置を提供する。【解決手段】空気清浄機能付き照明装置１０１は天井から吊り下げて設置され、筐体１１０と、第１フィルター１２０と、照明１４０と、ガイド３００とを有する。筐体１１０は側面に吸気孔１１２を有し、下方に開口部１１５を有して、筐体１１０と第１フィルター１２０の間に隙間ｇ１、筐体１１０とガイド３００の間に隙間ｇ２を有する。筐体１１０の上方にファン１５２を有する。吸気孔１１２が側方の空気を吸い込み、開口部１１５およびガイド３００が下方の空気を吸い込んで、それぞれ吸い込まれた空気は第１フィルター１２０によって浄化される。【選択図】図４
2019040761.tif 000002
【特許請求の範囲】
【請求項１】
天井から吊り下げた状態で当該天井に対して間隔をあけて設置される空気清浄機能付き照明装置であって、
吊り下げ方向に対して側方に吸気孔が設けられている筐体と、
前記筐体の内側に配置され、前記吸気孔から取り入れた空気を第１面から第２面へ通して浄化する第１フィルターと、
前記吸気孔を通過し、前記第１フィルターの第１面から第２面に向かう気流を発生させるファンと、
前記筐体の外周に隙間をあけて配置され、前記筐体の下の空気を前記吸気孔へ導くガイドと、
前記筐体および／または前記ガイドに設けられた照明と、
を有する、空気清浄機能付き照明装置。
【請求項２】
天井から吊り下げた状態で当該天井に対して間隔をあけて設置される空気清浄機能付き照明装置であって、
吊り下げ方向に対して側方に吸気孔が設けられ、かつ、吊り下げ方向の下方に開口部が設けられている筐体と、
前記筐体の内側に、前記筐体から隙間をあけて配置され、前記吸気孔および前記開口部から取り入れた空気を第１面から第２面へ通して浄化する第１フィルターと、
前記吸気孔および前記開口部を通過し、前記第１フィルターの第１面から第２面に向かう気流を発生させるファンと、
前記筐体に設けられた照明と、
を有する空気清浄機能付き照明装置。
【請求項３】
前記筐体の外周に隙間をあけて配置され、前記筐体の下の空気を前記吸気孔へ導くガイドをさらに有する請求項２に記載の空気清浄機能付き照明装置。
【請求項４】
前記ガイドに照明が設けられている、請求項３に記載の空気清浄機能付き照明装置。
【請求項５】
前記ガイドは、前記ガイドが前記吸気孔の少なくとも一部を覆う位置に設けられている、請求項１、３、４のいずれか１項に記載の空気清浄機能付き照明装置。
【請求項６】
前記第１フィルターは、筒状に形成されており、筒状の前記第１フィルターの外側面が前記第１面、筒状の前記第１フィルターの内側面が前記第２面となり、前記第１フィルターの下端を閉塞する蓋部を有し、
前記ファンは、前記第１フィルターの上方に配置されている、請求項１〜５のいずれか１項に記載の空気清浄機能付き照明装置。
【請求項７】
吊り下げ方向の下方に配置され、前記筐体の下から前記第１フィルターへ向かう空気を浄化する第２フィルターを有する、請求項１〜６のいずれか１項に記載の空気清浄機能付き照明装置。
【発明の詳細な説明】
【技術分野】
【０００１】
本発明は、空気清浄機能付き照明装置に関する。
【背景技術】
【０００２】
照明と空気清浄機を組み合わせた空気清浄機能付き照明装置が知られている（たとえば、特許文献１参照）。
【０００３】
このような空気清浄機能付き照明装置では、食卓等の照明として違和感なく配置され、さらに、装置下面から環境空気を吸引し浄化を行える。特に、食卓で調理しながら料理を楽しむ場合、たとえば、加熱された鉄板上で肉や野菜を焼き、食事を行う場合、鉄板上方に空気清浄機能付き照明装置があれば、調理に伴う煙が直ちに浄化され、非常に便利である。
【０００４】
上記のような空気清浄機能付き照明装置は、食卓だけではなく、様々な環境でも適用が求められている。たとえば、喫茶店や居酒屋、バー、商店のイートインスペースなど様々な飲食店にも適用できる。このように、空気清浄機能付き照明装置は、様々な環境での適用が望まれている。
【先行技術文献】
【特許文献】
【０００５】
【特許文献１】特開２０１４−２２１０４号公報
【発明の概要】
【発明が解決しようとする課題】
【０００６】
特許文献１に記載の空気清浄機能付き照明装置は、装置下、すなわち食卓上の空間の空気は効率的に吸引するが、食卓上以外の空気清浄能力は低い。一方で、適用される環境やユーザーの趣向によっては、空気清浄機能付き照明装置に求められる機能として、装置下だけでなく、照明装置として配置されている空間全体の空気清浄機能の向上が求められている。
【０００７】
そこで、本発明は、上記事情に鑑みてなされたものであり、空気清浄機能付き照明装置が配置される空間の空気清浄機能を向上させた空気清浄機能付き照明装置を提供することを目的とする。
【課題を解決するための手段】
【０００８】
上記目的を達成するための本発明の空気清浄機能付き照明装置は、天井から吊り下げた状態で当該天井に対して間隔をあけて設置される空気清浄機能付き照明装置である。この空気清浄機能付き照明装置は、吊り下げ方向に対して側方に吸気孔が設けられている筐体と、筐体の内側に配置されて吸気孔から取り入れた空気を第１面から第２面へ通して浄化する第１フィルターと、吸気孔を通過し、第１フィルターの第１面から第２面に向かう気流を発生させるファンと、筐体の外周に隙間をあけて配置され、筐体の下の空気を吸気孔へ導くガイドと、筐体および／またはガイドに設けられた照明と、を有する。
【０００９】
また、上記目的を達成するための本発明の空気清浄機能付き照明装置は、天井から吊り下げた状態で当該天井に対して間隔をあけて設置される空気清浄機能付き照明装置である。この空気清浄機能付き照明装置は、吊り下げ方向に対して側方に吸気孔が設けられ、かつ、吊り下げ方向の下方に開口部が設けられている筐体と、筐体の内側に、筐体から隙間をあけて配置され、吸気孔および開口部から取り入れた空気を第１面から第２面へ通して浄化する第１フィルターと、吸気孔および開口部を通過し、第１フィルターの第１面から第２面に向かう気流を発生させるファンと、筐体に設けられた照明と、を有する。また、この空気清浄機能付き照明装置においては、筐体の外周に隙間をあけて配置され、筐体の下の空気を前記吸気孔へ導くガイドをさらに有することもできる。
【発明の効果】
【００１０】
本発明によれば、筐体の側方に設けられた吸気孔から、空気清浄機能付き照明装置が設置された空間内の側方から空気を吸い込むと同時に、筐体下方の開口部および／またはガイドによって空気清浄機能付き照明装置の下方から空気を吸い込むことができる。これにより、空気清浄機能付き照明装置下の空気清浄機能を十分に確保しつつ、側方の空気も吸い込むことができる。したがって、空気清浄機能付き照明装置が設置された空間全体の空気清浄機能を高めることができる。
【図面の簡単な説明】
【００１１】
【図１】実施形態１の空気清浄機能付き照明装置の正面図である。
【図２】図１のＡ−Ａ線に沿う断面図である。
【図３】図１のＢ−Ｂ線に沿う概略断面図である。
【図４】実施形態１の空気清浄機能付き照明装置の斜視図である。
【図５】実施形態１の変形例１を説明するための断面図である。
【図６】実施形態１の変形例２を説明するための斜視図である。
【図７】実施形態１の変形例３を説明するための斜視図である。
【図８】実施形態２の空気清浄機能付き照明装置の断面図である。
【図９】実施形態３の空気清浄機能付き照明装置の正面図である。
【図１０】実施形態４の空気清浄機能付き照明装置の正面図である。
【図１１】実施形態５の空気清浄機能付き照明装置の正面図である。
【発明を実施するための形態】
【００１２】
以下、添付した図面を参照して、本発明の実施形態を説明する。なお、図面の説明において同一の要素には同一の符号を付し、重複する説明を省略する。また、図面の寸法比率は、説明の都合上誇張されており、実際の比率とは異なる場合がある。
【００１３】
［実施形態１］
図１は実施形態１の空気清浄機能付き照明装置の正面図である。図２は図１のＡ−Ａ線に沿う断面図である。図３は図１のＢ−Ｂ線に沿う概略断面図である。図４は実施形態１の空気清浄機能付き照明装置の斜視図である。なお、図４は天井から吊り下げた状態を斜め下から見た斜視図である。
【００１４】
図１〜４に示す実施形態１の空気清浄機能付き照明装置１０１は、いわゆる吊り下げ式の照明装置である。
【００１５】
空気清浄機能付き照明装置１０１は、筐体１１０、第１フィルター１２０、照明１４０、排気部１５０、およびガイド３００を有する。この空気清浄機能付き照明装置１０１は、図中、下方へ照明光を照射する。また、空気清浄機能付き照明装置１０１は、筐体１１０の側方および下方から吸気し、内部の第１フィルター１２０により空気を浄化して、上方へ排気する。
【００１６】
この空気清浄機能付き照明装置１０１は、天井から吊り下げた状態で天井に対して間隔をあけて設置される。このため、筐体１１０上部には、たとえば天井に取り付けられている引掛シーリングローゼット（いわゆる引掛シーリング、引掛ローゼットなど）の引掛シーリングボディ（不図示）に吊り下げて使用する。このために引掛シーリングボディに接続される引掛シーリングキャップ６０１、引掛シーリングキャップ６０１内の電極（不図示）と接続するコード６０２、および引掛シーリングボディの取付金具（または別の取付金具）（不図示）に吊り下げるためのワイヤー６０３が設けられている。配線や電極などは周知のものであるので説明は省略する。なお、空気清浄機能付き照明装置１０１は、引掛シーリングボディから電力供給を受けるが、それに限定されず、別途コンセントなどと接続するコードを設けてもよい。なお、図２においては筐体１１０より上の引掛シーリングキャップ、コード、およびワイヤーは図示省略した（他の断面図も同様である）。
【００１７】
（筐体）
筐体１１０は、円筒形状で内部に第１フィルター１２０を収納している。筐体１１０は、収納している第１フィルター１２０よりも大きい。筐体１１０には、空気清浄機能付き照明装置１０１の吊り下げ方向に対して側方（本明細書では単に「側面」ともいう）の全周に複数の吸気孔１１２が設けられている。吸気孔１１２は、環境の空気を吸い込むために設けられている。吸気孔１１２の数や径は、筐体１１０の剛性および耐久性により、適宜設計される。たとえば、吸気孔１１２が形成される範囲において、開口率が３０〜７０％となるように、吸気孔１１２が形成される。
【００１８】
この複数の吸気孔１１２が設けられることによって、筐体１１０は、プレフィルターの役割も果たし、吸気時に、環境中の比較的大きな埃等を捕捉できる。
【００１９】
複数の吸気孔１１２は、少なくとも筒状の第１フィルター１２０の外側面（第１面）と正面視、背面視、側面視において重なる範囲に設けることが好ましい。このような範囲に複数の吸気孔１１２を設けることで、効率よく空気を第１フィルター１２０の外側から吸わせることができる。なお、正面視、背面視、および側面視は、図１に示した方向を正面とする、各視点である。
【００２０】
吸気孔１１２の形状は、図においては、円形のパンチングホールの例を示したが、このような形状に限定されない。たとえば、多角形状、ストライプ形状（吊り下げ方向や、吊り下げ方向に直交したり斜め交差したり（またストライプが直交や交差するなど））、そのほかにも、植物や動物、空想物などを模したキャラクター形状など、空気が通過する形状であればどのような形状であってもよい。さらには、筐体１１０全体が金網を円筒形状に加工したものであってもよい。
【００２１】
筐体１１０の下端は、第１フィルター１２０の下端より下に来るように延伸されている。筐体１１０の下端には、筐体１１０からリング形状で中央部分が開口（開口部１１５）した庇部１６０が設けられている。庇部１６０は筐体１１０との接続部分から開口の方向に上（天井方向）に向かって傾斜して設けられている。また、庇部１６０の形状に沿って、庇部１６０とほぼ平行に、筐体１１０との接続部から開口部１１５方向へ上に傾斜し、そこから開口部１１５の中央方向へなだらかに下に突出する下面部１６１が形成されている。これにより開口部１１５からスムーズに空気が流れる。
【００２２】
また、このような形状の庇部１６０および下面部１６１によって、人から装置内部が見えないようにできる。これは、空気清浄機能付き照明装置１０１は、通常、人の目線より上に設置される。庇部１６０および下面部１６１をこのような角度で配置したことで人が、空気清浄機能付き照明装置１０１を見上げたときに装置内部が見えないのである。
【００２３】
筐体１１０と第１フィルター１２０の外側面（第１面）との間には隙間ｇ１（図３参照）を設けてある。この隙間ｇ１は庇部１６０の開口と空間的に繋がっている。したがって、筐体１１０は、吊り下げ方向の下方に開口部１１５が設けられているものである。空気清浄機能付き照明装置１０１は、この隙間ｇ１および開口部１１５を通じて、下方の空気を吸い込む。
【００２４】
（第１フィルター）
第１フィルター１２０は、既に説明したとおり、筐体１１０内に収納されている。第１フィルター１２０と筐体１１０の間には隙間ｇ１がある。隙間ｇ１の間隔は空気が通る間隔であればよく特に限定されない。たとえば、装置全体の大きさにもよるが、筐体１１０の直径（吊り下げ方向に直交する方向）が１００〜４００ｍｍとすれば、隙間ｇ１は１〜５０ｍｍ程度とすることが好ましい。このような隙間ｇ１の間隔とすることで、下方に設けた開口部１１５からの空気を効率よく吸い込むことができる。
【００２５】
第１フィルター１２０は、全体として円筒状に形成されている。この円筒形状の第１フィルター１２０は外側面（第１面）から空気を吸い込み内側面（第２面）へ通すことで浄化する。
【００２６】
円筒の第１フィルター１２０の内側は、浄化後の空気が通過する流路１２４（図３参照）を形成する。円筒の第１フィルター１２０の下部分には、蓋部１２２が設けられていて、流路１２４の下部分を閉塞している。この蓋部１２２により流路１２４の下部分が閉塞されることで第１フィルター１２０の内側に、外から空気が直接入り込むことを防止している。
【００２７】
第１フィルター１２０は、集塵フィルター１２５と、脱臭フィルター１２６を含む（図３参照）。集塵フィルター１２５は、筒状に形成されており、脱臭フィルター１２６の外周に配置される。集塵フィルター１２５は、金属や樹脂に多数の孔を設けたパンチングタイプ、カットベンドタイプ、ラス網などの網目状タイプ、不織布タイプなどを採用できる。本実施形態では、集塵フィルター１２５は、不織布タイプを採用する。集塵フィルター１２５は、フィルターの役割を果たす筐体１１０よりも細かい埃等を集塵できる。
【００２８】
脱臭フィルター１２６は、活性炭等を内蔵し、空気が通り抜ける際、空気中に含まれる臭いを吸着して、空気から臭いを分離除去する。脱臭フィルター１２６は、消臭剤がコーティングされ、付着した臭気成分を消臭してもよい。
【００２９】
脱臭フィルター１２６は、蛇腹状に屈曲され、全体として円筒状のフィルターである。脱臭フィルター１２６は、蛇腹状に形成されることにより、表面積を大きくでき、脱臭効率を向上できる。脱臭フィルター１２６は、内部に空洞がある。この空洞が、集塵フィルター１２５および脱臭フィルター１２６により浄化された空気が通過する流路１２４となる。つまり、筐体１１０の外部の環境空気は、集塵フィルター１２５および脱臭フィルター１２６を通り、流路１２４まで流れ込む。
【００３０】
第１フィルター１２０は、集塵フィルター１２５および脱臭フィルター１２６だけに限らず、脱煙フィルターやグリスフィルター、その他のフィルターを含んでもよい。
【００３１】
（蓋部）
蓋部１２２は、たとえば平板状に形成されている。蓋部１２２は、筐体１１０と接続されている庇部１６０から支柱１２３（図２参照）によって接続されている。これにより蓋部１２２は筐体１１０と隙間ｇ１をあけて固定される。支柱１２３は隙間ｇ１を通る気流を妨げないように形成される。この蓋部１２２によって第１フィルター１２０が筐体１１０内で支持される。
【００３２】
（照明）
照明１４０は、蓋部１２２の下面に取り付けられている。したがって、照明１４０は筐体１１０の下方に設けられていることになり、光を空気清浄機能付き照明装置１０１の下方向へ照射する。
【００３３】
照明１４０はたとえばＬＥＤランプが用いられている。ＬＥＤランプはＬＥＤチップ（不図示）の表面をカバーによって覆った構造である（カバーは下面部１６１の一部を構成している）。照明１４０は蓋部１２２から中央部が突出した構造となっている。空気清浄機能付き照明装置１０１の動作中は、照明１４０の表面は開口部１１５を通る気流にさらされるため汚れが付着しにくい。
【００３４】
なお、ＬＥＤランプに代えて、蓋部１２２に白熱電球用ソケットを設けて、電球型ＬＥＤランプ、電球型蛍光灯、また白熱電球が取り付けられるようにしてもよい。蓋部１２２に白熱電球用ソケットを設ける場合、蓋部１２２の中央部を流路１２４方向へ窪ませた構造として、窪み部分にソケットを設けることで、各ランプの突出量が少なくなるようにしてもよい。
【００３５】
（排気部）
排気部１５０は、筐体１１０上部に位置し、ファン１５２を有する。ファン１５２は、第１フィルター１２０の上方に配置されている。したがって、ファン１５２は、流路１２４の延長軸上に位置する。
【００３６】
排気部１５０は、筐体１１０内において第１フィルター１２０の外側の隙間ｇ１部分とは、仕切り板１５５によって仕切られており、ファン１５２の動作によって第１フィルター１２０の外側から空気を直接吸い込まないようにしている。
【００３７】
ファン１５２は、筐体１１０の外部の環境空気を吸い込む気流を発生させる。すなわち、吸気孔１１２を通過し、第１フィルター１２０の外側面（第１面）から内側面（第２面）に向かい、流路１２４を通過する気流を発生させるとともに、開口部１１５および隙間ｇ１を通過し、第１フィルター１２０の外側面（第１面）から内側面（第２面）に向かい、流路１２４を通過する気流を発生させる。
【００３８】
流路１２４に導かれた気流は、排気部１５０の上面に形成された排気口１５４から排出される。本実施形態１では、排気口１５４は、排気部１５０において天井に対面する天面方向（上方向）へ排気させるように設けている。外観上、筐体１１０の排気部１５０が位置する部分も吸気孔１１２（パンチングホール）が設けられているが（図１参照）、この部分は筐体１１０の内側に密着させた閉塞板１５６が設けられていて、排気部１５０の横方向に直接排気されないようになっている。なお、筐体１１０の排気部１５０が位置する部分の吸気孔１１２は、他の部分との意匠的な一体感を出すためのものであるので、なくてもよい。
【００３９】
（ガイド）
ガイド３００は、筐体１１０の外側にスペーサ３０１を介して隙間ｇ２をあけて取り付けられている（図３参照）。ガイド３００はスペーサ３０１により筐体１１０の外側全周に渡り一定の隙間ｇ２が保たれている。隙間ｇ２の間隔は空気が通る間隔であればよく特に限定されない。たとえば、装置全体の大きさにもよるが、ガイド３００の直径（吊り下げ方向に直交する方向）が１１０〜５００ｍｍとすれば、隙間ｇ２は５〜５０ｍｍ程度とすることが好ましい。このようにガイド３００と筐体１１０の間に隙間ｇ２をあけることで、ガイド３００が、筐体１１０下の空気を吸気孔１１２の方向へ導くようになる。
【００４０】
ガイド３００の少なくとも一部は、筐体１１０の吸気孔１１２が開けられている範囲と重なりｏｖ（図２参照）があるように設けられる。つまり、ガイド３００の下端は、筐体下端と同じかまたは筐体下端より下にあることが好ましく、ガイド３００の上端は、筐体１１０の吸気孔１１２が開けられている範囲の上端と同じかまたは上端より下にあることが好ましい。なお、ここで、吸気孔１１２が開けられている範囲とは実際に吸気される空気が通る吸気孔１１２がある範囲である。したがって、排気部１５０の周囲にある吸気孔１１２ように、閉塞板１５６によって塞がれている吸気孔１１２がある範囲は除くものである。
【００４１】
具体的には、たとえば、ガイド３００は吸気孔１１２が開けられている範囲に対して、吊り下げ方向の重なりｏｖが１〜１００％となるように配置される。ガイド３００と吸気孔１１２が開けられている範囲との重なりｏｖが多ければ、より下方の空気を吸いやすくなり、ガイド３００と吸気孔１１２が開けられている範囲との重なりｏｖが少なければ、より側方からの空気を吸いやすくなる。
【００４２】
ガイド３００と吸気孔１１２の設けられている面との重なりｏｖが１００％の場合は、ガイド３００と筐体１１０との間に隙間ｇ２があるため、隙間ｇ２の下から空気を吸うだけでなく、隙間ｇ２の上からも空気を吸うため、空間全体の空気を吸うことができる。また、吸気孔１１２から漏れる筐体１１０内部で発生する騒音を遮音（または抑制）でき、吸気孔の目隠しにもなる。
【００４３】
逆に、１％程度の重なりｏｖであっても、吸気孔１１２からの吸い込み気流がガイド３００によって下からの空気を吸い込むことができる。
【００４４】
このような重なりｏｖは、好ましくは約５〜９０％である。このような重なりの程度とすることで、側方からの吸い込みと下方からの吸い込みを両立させて効果的に空間全体の空気を浄化することができる。また重なりｏｖは、より好ましくは約３０〜６０％程度である。このような重なりｏｖの程度とすることで、側方と下方からバランスよく吸い込むことができる。この重なりｏｖは、空間から側方と下方のどちらから、より空気を吸い込ませたいかによって適宜設定される。
【００４５】
このような吸気孔１１２とガイド３００とが重なる領域は負圧領域になる。このため、吸気孔１１２とガイド３００の隙間ｇ２部分において、ガイド３００の下端からの上昇流が発生する。発生した上昇流はガイド３００の内面に沿って流れ、その流れが吸気孔１１２に吸気される。この上昇流により、筐体１１０直下だけでなく、装置の下周辺の空気も吸い込むことができるようになる。
【００４６】
なお、本実施形態１ではガイド３００は筐体１１０に固定しているが、ガイド３００の吊り下げ方向の位置を吸気孔１１２が設けられている面の１〜１００％の範囲で可動できるようにしてもよい。このようにガイド３００を可動式にすることで、側方と下方の吸い込み割合をユーザーが所望する設定に変更することができる。
【００４７】
また、ガイド３００は、本実施形態１では、筐体１１０に対して、ほぼ一定の間隔を保ち、筐体１１０の外表面に対して平行に設けられている。しかし、ガイド３００はこれに限らず、たとえば、上方が狭く、下方が広い、鉛直面方向における断面が台形となる形状としてもよい。このような形状とすることで、ガイド３００が下方向で広がっているため、空気清浄機能付き照明装置１０１直下の空気だけでなく、空気清浄機能付き照明装置１０１下のさらに広い範囲から空気を吸い込むことができるようになる。
【００４８】
また、ガイド３００の素材は限定されない。たとえば、金属板を円筒形に加工する。また、たとえば、透明や半透明（すりガラスを含む）の素材を円筒形に加工してもよい。透明や半透明の素材としては、たとえば、ガラスや樹脂を用いることができる。樹脂を用いる場合には、設置場所に応じて難燃性樹脂を用いることが好ましい。
【００４９】
以上説明した本実施形態１によれば、筐体１１０側面の周囲に吸気孔１１２を設けるとともに、筐体１１０と第１フィルター１２０との間に隙間ｇ１、筐体１１０の下方に隙間ｇ１とつながる開口部１１５を設け、さらに筐体１１０の外周に隙間ｇ２をあけてガイド３００を設けたことで、空気清浄機能付き照明装置１０１の下方の空気と側方の空気を吸い込むことができる。これにより、筐体１１０下方の空気は開口部１１５で吸い込み、開口部１１５で吸い込み切れなかった空気はガイド３００の内周面および／または外周面に沿って流れて筐体１１０側方の吸気孔１１２の近傍に案内されて、効率よく吸気される。したがって、１つの空気清浄機能付き照明装置１０１で、空間全体の空気を効率的に浄化することができる。
【００５０】
（変形例１）
図５は、実施形態１の変形例１を説明するための断面図である。図５の断面位置は図１のＡ−Ａ線に沿う断面と同様である。
【００５１】
実施形態１の変形例１は、筐体１１０の下部に第２フィルター２２０を設けた空気清浄機能付き照明装置１０１である。その他の構成は、実施形態１と同じであるので説明は省略する。
【００５２】
この第２フィルター２２０は、筐体１１０と第１フィルター１２０との間の隙間ｇ１および開口部１１５から吸い込む空気に対してのプレフィルターとなる。第２フィルター２２０は、照明１４０から下方に照射される光を遮らないように、庇部１６０と蓋部１２２との間に設けられている。
【００５３】
この第２フィルター２２０は比較的大きな塵や埃などを浄化する機能があればよく、たとえば、金属メッシュフィルターなどでもよい。また、油煙などを取り除くための不織布フィルターなどでもよい。
【００５４】
このような第２フィルター２２０を設けることで、筐体１１０と第１フィルター１２０との間の隙間ｇ１や庇部１６０の上などに塵や埃が入ったり、また虫が入り込んだりするのを抑えることができる。
【００５５】
（変形例２）
図６は、実施形態１の変形例２を説明するための斜視図である。図６は天井から吊り下げた状態を斜め下から見た斜視図である。
【００５６】
実施形態１の変形例２は、筐体１１０の下部にリング状の照明（リング照明１４５という）を設けた空気清浄機能付き照明装置１０１である。
【００５７】
リング照明１４５は、筐体１１０の下端である庇部１６０の下に複数のＬＥＤチップを取り付け、これにカバーをしたリング状のＬＥＤランプである。その他の構成は、実施形態１と同じであるので説明は省略する。
【００５８】
このように、リング照明１４５を設けることで、上述した実施形態１とは異なる意匠とすることができる。特にリング照明１４５を点灯した際の光の演出効果を変えることができる。
【００５９】
なお、変形例２では、リング照明１４５を設けて、筐体１１０の下、中央部の照明１４０（図４参照、以下中央部照明という）は取り付けていない例を示した。しかし、リング照明１４５と共に中央部照明も設けてもよい。リング照明１４５と中央部照明の両方を取り付けることで、さらに異なる意匠とすることができ、異なる光の演出効果を出すことができる。また、リング照明１４５と中央部照明を個別に点消灯できるようにしてもよい。
【００６０】
（変形例３）
図７は、実施形態１の変形例３を説明するための斜視図である。
【００６１】
変形例３は、ガイド３００に下端の周囲にリング状の照明（リング照明１４６という）に設けている。照明位置が異なる以外は変形例２と同じである。
【００６２】
変形例３では、ガイド３００にリング照明１４６を設けることで、他の実施形態や変形例２とはさらに異なる意匠となり、光演出効果を違えることができる。
【００６３】
（照明位置の他の変形例）
照明の位置は、図示しないが、さらに様々な位置に設けてもよい。たとえば、ガイド３００の外周面に設けることもできる。これらガイド３００に設ける照明は、リング状に連続して光るようにしてもよいし、リング内で点在するように光るようにしてもよい。
【００６４】
また、照明は、筐体１１０とガイド３００との間の隙間ｇ２部分に設けることもできる（ただし装置下から吸い込む気流を妨げないようにする）。この隙間ｇ２部分に設けた場合、下方に照明光を出すだけでなく、上方に出すことで、間接照明としての光演出効果を得ることができる。また、筐体１１０の上部に設けて間接照明として、光演出効果を得るようにしてもよい。また、照明は、たとえば、筐体１１０と第１フィルター１２０との隙間ｇ１に設けてもよい。このよう筐体１１０内部に照明１４０を設けることで、筐体１１０の吸気孔１１２から外に光が漏れ出すようにできて、光による一風変わった演出効果を出すことができる。さらには、これら様々な位置を組み合わせて照明を設けてもよし、また、照明光の色を変えるなどしてもよい。
【００６５】
［実施形態２］
図８は実施形態２の空気清浄機能付き照明装置の断面図である。外観は図１に示した実施形態１の空気清浄機能付き照明装置を同じである。なお、図８は図１のＡ−Ａ線に沿う断面と同じ位置での断面図である。
【００６６】
図８に示した実施形態２の空気清浄機能付き照明装置１０２は、実施形態１同様に、吊り下げ式の照明装置である。
【００６７】
本実施形態２の空気清浄機能付き照明装置１０２は、吊り下げ方向の下方に開口部を設けていない。このために、蓋部１２２は、円筒形の筐体１１０の下端全体を覆うように取り付けている。
【００６８】
本実施形態２の空気清浄機能付き照明装置１０２は、実施形態１にあった筐体１１０下部の開口部から第１フィルター１２０の外側面（第１面）へと導かれる気流はなくなる。したがって、筐体１１０と第１フィルター１２０の外側面との間に隙間はあってもなくてもよい。また、庇部も不要である。
【００６９】
空気清浄機能付き照明装置１０２は、第１フィルター１２０が実施形態１と同じ大きさにする場合は、隙間をなくす（または少なくする）ことで、装置全体の大きさを実施形態１と比較して、隙間をなくした分だけ小さくすることができる。ただし、実施形態１と同じように隙間を設けていても、機能的には差し支えない。
【００７０】
その他の構成は実施形態１同様であるので説明は省略する。したがって、本実施形態２においても、実施形態１同様に、筐体１１０の周囲にはガイド３００が設けられている。
【００７１】
このガイド３００により実施形態１同様に、空気清浄機能付き照明装置１０２の下方にある空気を吸い込んで浄化する。
【００７２】
このように本実施形態２においては、筐体１１０の側面に吸気孔１１２を設けるとともに、筐体１１０の外周に隙間ｇ２をあけてガイド３００を設けたことで、空気清浄機能付き照明装置１０２の下方の空気と側方の空気を吸い込むことができる。したがって、１つの空気清浄機能付き照明装置１０２で、空間全体の空気を効率的に浄化することができる。また、本実施形態２においては、筐体１１０の下部に開口を持たないので、筐体形状が単純化する。
【００７３】
なお、本実施形態２においても、上述した変形例２および３と同様に、リング照明１４５、１４６などを設けてもよいし、そのほか様々な位置に照明を設けてもよい。
【００７４】
［実施形態３］
図９は実施形態３の空気清浄機能付き照明装置の正面図である。
【００７５】
図９に示した実施形態３の空気清浄機能付き照明装置１０３は、実施形態１同様に、吊り下げ式の照明装置である。
【００７６】
本実施形態３の空気清浄機能付き照明装置１０３は、実施形態１の空気清浄機能付き照明装置１０１から、ガイドを取り去った構成である。ガイドがない以外は実施形態１同様であるので説明は省略する。
【００７７】
したがって、本実施形態３においても、実施形態１同様に、筐体１１０の下部に開口部１１５を有し、さらに筐体１１０と第１フィルター１２０との間には隙間ｇ１を有する。隙間ｇ１の間隔は実施形態１と同様である。
【００７８】
このように本実施形態３においても、筐体１１０の側面に吸気孔１１２を設けるとともに、下方に開口部１１５を設けたことで、空気清浄機能付き照明装置１０３の下方の空気と側方の空気を吸い込むことができる。したがって、１つの空気清浄機能付き照明装置１０３で、空間全体の空気を効率的に浄化することができる。
【００７９】
なお、本実施形態３においても、上述した変形例１と同様に、開口部１１５に第２フィルター２２０を設けてもよい。また、上述した変形例２および３と同様に、リング照明１４５、１４６などを設けてもよいし、そのほか様々な位置に照明を設けてもよい。
【００８０】
［実施形態４］
図１０は実施形態４の空気清浄機能付き照明装置の正面図である。
【００８１】
図１０に示した実施形態４の空気清浄機能付き照明装置１０４は、実施形態１同様に、吊り下げ式の照明装置である。
【００８２】
本実施形態４の空気清浄機能付き照明装置１０４は、筐体１１０の上方に、横および下方へ気流を導く上部ガイド４００を有する。上部ガイド４００を取り付けた以外は、実施形態１同様であるので説明は省略する。
【００８３】
このように本実施形態４においては、上部ガイド４００を設けたことで、筐体１１０の上方に排気されている浄化後の気流を横および下方へ導くことができる。
【００８４】
たとえば、卓上においた料理からは、水蒸気成分や臭い成分が天井方向へ立ち昇ってくる。特に、卓上コンロを用いて調理しながらの場合は油煙なども立ち昇る可能性がある。
【００８５】
空気清浄機能付き照明装置１０４は、食卓上に設置することで、水蒸気成分や臭い成分、さらには油煙などの多くを浄化することができる。しかし、水蒸気成分や臭い成分、油煙などの一部は天井にまで直接到達してしまうこともある。
【００８６】
空気清浄機能付き照明装置１０４は、上部ガイド４００によって、天井にまで直接到達する水蒸気成分や臭い成分、油煙を、浄化された空気で横や下方向へ吹き飛ばすことができる。吹き飛ばされた水蒸気成分や臭い成分、油煙の一部は拡散され、また一部は下方に戻る過程または再び上昇する過程で吸気孔１１２から吸われて浄化されるようになる。
【００８７】
これにより空気清浄機能付き照明装置１０４は、水蒸気成分や臭い成分、油煙の一部が天井に到達するのを抑えて天井が汚れるのを抑えることができる。
【００８８】
また、本実施形態４の空気清浄機能付き照明装置１０４は複数設置ことで、空気清浄効果が高まる。たとえば、互いの空気清浄機能付き照明装置１０４が上部ガイド４００によって吹き出す気流の範囲内に複数設置する。このようにすれば上部ガイド４００によって吹き飛ばされた水蒸気成分や臭い成分、油煙などが、互いの気流の範囲内にある空気清浄機能付き照明装置１０４によって吸い込まれるようになる。
【００８９】
なお、本実施形態４においても、変形例１のように第２フィルター２２０を設けたり、変形例２および３のように様々な位置に照明を設けたりしてもよい。さらに、実施形態２または３に対して、上部ガイド４００を設けても、本実施形態４と同様の効果を得ることができる。もちろん、本実施形態４においても、他の実施形態同様に、１つの空気清浄機能付き照明装置１０４で、空間全体の空気を効率的に浄化することができる。
【００９０】
［実施形態５］
図１１は実施形態５の空気清浄機能付き照明装置の正面図である。
【００９１】
図１１に示した実施形態５の空気清浄機能付き照明装置１０５は、実施形態１同様に、吊り下げ式の照明装置である。
【００９２】
本実施形態５の空気清浄機能付き照明装置１０５は、筐体１１０の排気部１５０が位置するあたりに、筐体周囲を取り囲むように天井方向ガイド５００を設けた。また、筐体１１０の外に外部仕切り板５０１を設けた。天井方向ガイド５００と外部仕切り板５０１を取り付けた以外は、実施形態１同様であるので説明は省略する。
【００９３】
本実施形態５においては、天井方向ガイド５００を設けたことで、排気部１５０から上方向へ排気されている浄化後の空気を、さらに強く上方向へ、すなわち天井方向へ排気させることができる。この天井へ流れた気流は、さらに横および下方へ流れて、そして空気清浄機能付き照明装置１０５の下方に流れて行く（図中破線矢印）。
【００９４】
また、外部仕切り板５０１を取り付けることで、天井に反射して下方に流れる空気が途中で吸気孔１１２に直接吸われてしまうのを防ぎ、より多くの空気を空気清浄機能付き照明装置１０５の下まで届かせることができる。
【００９５】
このように、本実施形態５においては、天井方向から下方向への気流を生み出すことで、空気清浄機能付き照明装置１０５が設置された空間の空気、特に天井から装置側方の空気をいっそう多く浄化することができるので、より広い範囲の空気を浄化することができる。
【００９６】
なお、外部仕切り板５０１はなくてもよい。外部仕切り板５０１がない場合でも、天井に反射して下方に流れる空気が生み出されるので、広い範囲の空気を浄化することができる。
【００９７】
本実施形態５においても、変形例１のように第２フィルター２２０を設けたり、変形例２および３のように様々な位置に照明を設けたりしてもよい。さらに、実施形態２または３に対して、天井方向ガイド５００および外部仕切り板５０１を設けても、本実施形態５と同様の効果を得ることができる。ただし、これらの場合も外部仕切り板５０１はなくてもよい。もちろん、本実施形態５においても、他の実施形態同様に、１つの空気清浄機能付き照明装置１０５で、空間全体の空気を効率的に浄化することができる。
【００９８】
以上本発明を適用した実施形態および変形例を説明したが、本発明は、これら実施形態や変形例に限定されるものではない。上述した各実施形態は、円筒形状の筐体１１０と、それに合わせた円筒形状の第１フィルター１２０とした。これに代えて、筐体１１０も第１フィルター１２０も、三角筒、四角筒、五角筒、六角筒、七角筒、八角筒などの多角筒形状であってもよい。多角筒形状とは、図１のＢ−Ｂ線に沿う断面において多角形となる筒形状を云う。たとえば、筐体１１０は円筒で第１フィルター１２０を多角筒とする。この場合、第１フィルター１２０の多角筒の平面部分で筐体１１０との隙間が生まれるため、多角筒の頂部分は筐体１１０に接触していてもよい。逆に、筐体１１０は多角筒で、第１フィルター１２０が円筒としてもよい。この場合は、筐体１１０の頂部分と第１フィルター１２０の間で隙間が生まれるため、筐体１１０の平面部分は第１フィルター１２０と接触してもよい。もちろん、いずれの場合にも筐体１１０と第１フィルター１２０との間が完全に離れていてもよい。また、筐体１１０、第１フィルター１２０共に多角筒形状としてもよい。なお、筐体１１０を多角筒形状とした場合には、ガイド３００も同形状とすることが好ましい。
【００９９】
また、照明１４０を中央に設ける場合、円筒状の第１フィルター１２０の内側に照明１４０の放熱部を設けてもよい。これにより照明１４０の空冷が可能で、高出力の照明も設置しやすくなる。この場合、放熱部のフィンを固定翼形状にして整流することが好ましい。このようにすることで、ファン１５２の効率低下を軽減できる。また、空冷機能を持たせた場合は、たとえば照明１４０を点灯させたら必ずファン１５２を駆動させる仕様にしたり、明るさに応じてファン１５２の回転数を変化させる仕様にしたりしてもよい。
【０１００】
また、各実施形態では、吸気孔１１２（実際に吸気作用のある吸気孔）の設置範囲は、吊り下げ方向において第１フィルター１２０の外側面（第１面）と重なるようにしている。しかし、これに限らず、筐体１１０の下方の一部に吸気孔１１２を設けないようにしてもよい。実施形態２を除く各実施形態では、筐体１１０の下方から開口部１１５および隙間ｇ１を通して吸気している。このように筐体１１０の下方の一部に吸気孔１１２を設けないことで、この開口部１１５および隙間ｇ１を通る下からの気流と、吸気孔１１２を通る横からの気流が直接ぶつからなくなり、開口部１１５および隙間ｇ１を通る下からの空気をいっそう効率よく吸い込むことができる。
【０１０１】
そのほか、本発明は特許請求の範囲に記載された構成に基づき様々な改変が可能であり、それらについても本発明の範疇である。
【符号の説明】
【０１０２】
１０１〜１０４  空気清浄機能付き照明装置、
１１０  筐体、
１１２  吸気孔、
１２０  第１フィルター、
１２２  蓋部、
１２３  支柱、
１２５  集塵フィルター
１２６  脱臭フィルター、
１４０  照明、
１４５、１４６  リング照明、
１５０  排気部、
１５２  ファン、
１５４  排気口、
１５５  仕切り板、
２２０  第２フィルター、
３００  ガイド、
３０１  スペーサ、
４００  上部ガイド、
５００  天井方向ガイド、
５０１  外部仕切り板。
【図１】
2019040761.tif 000003
【図２】
2019040761.tif 000004
【図３】
2019040761.tif 000005
【図４】
2019040761.tif 000006
【図５】
2019040761.tif 000007
【図６】
2019040761.tif 000008
【図７】
2019040761.tif 000009
【図８】
2019040761.tif 000010
【図９】
2019040761.tif 000011
【図１０】
2019040761.tif 000012
【図１１】
2019040761.tif 000013